(57)【特許請求の範囲】
【請求項１】
ディスプレイの光源からの照明光路制御用光学レンズシートの製造用金型であって、
前記金型の表面は、凹凸の単位形状Ａの繰り返しパターンと、
前記単位形状Ａの表面全域を、その表面に沿って、前記単位形状Ａの幅よりも細かい微細凹凸部の単位形状Ｂの繰り返しパターンが覆うように形成されてなるものであることを特徴とする照明光路制御用光学レンズシートの製造用金型。
【請求項２】
前記微細凹凸部の単位形状Ｂの幅が、０．２μｍ以上、５μｍ以下の微細凹凸部であることを特徴とする請求項１に記載の照明光路制御用光学レンズシートの製造用金型。
【請求項３】
前記微細凹凸部の単位形状Ｂの凸部の頂点同士の最大差、または前記単位形状Ｂの凹部の下端同士の最大差が、０．２μｍ以上、２μｍ以下であることを特徴とする請求項１または２に記載の照明光路制御用光学レンズシートの製造用金型。
【請求項４】
請求項１から３のいずれかに記載の照明光路制御用光学レンズシートの製造用金型を用いて照明光路制御用光学レンズシートを製造することを特徴とする照明光路制御用光学レンズシートの製造方法。
【請求項５】
請求項１から３のいずれかに記載の照明光路制御用光学レンズシートの製造用金型を用いて製造したことを特徴とする照明光路制御用光学レンズシート。
【請求項６】
請求項４または請求項５に記載の照明光路制御用光学レンズシートを搭載した液晶表示装置。
【請求項７】
請求項６に記載の液晶表示装置を備えたディスプレイ。
【発明の詳細な説明】
【技術分野】
【０００１】
本発明は、光学レンズシート用金型に関し、さらに具体的には、照明光路制御に用いられ、特に、フラットパネルディスプレイに代表される画像表示装置における照明光路制御に使用される集光拡散機能を有する光学レンズシート、製造法、表示装置及びディスプレイに関する。
【背景技術】
【０００２】
最近の大型液晶テレビやフラットディスプレイパネル等においては主に、直下型方式の照明装置と、エッジライト方式の照明装置とが採用されている。直下型方式の照明装置は、光源として複数の冷陰極管（ＣＣＦＬ）やＬＥＤ（ＬｉｇｈｔＥｍｉｔｔｉｎｇ Ｄｉｏｄｅ）が、パネルの背面に規則的に配置される。液晶パネル等の画像表示素子と光源との間には、光散乱性の強い拡散板が用いられ、光源としての冷陰極管やＬＥＤが視認されないようにしている。
【０００３】
一方、エッジライト方式の照明装置は、複数の冷陰極管やＬＥＤ等の光源が、導光板と呼ばれる透光性の板の端面に配置される。一般的に、導光板の射出面（画像表示素子と対向する面）の逆側の面には、該導光板の端面から入射する入射光を効率良く射出面へと導く光偏向面が形成され、光偏向面に形成される光偏向要素としては例えば白色のドットパターンが印刷されたもの、あるいは、レンズ形状が付与されたもの等、効率よく射出面へと導くために様々な光偏向要素が提案されている。
【０００４】
しかしながら、エッジライト方式は、導光板と呼ばれる透光性の板の端面にのみ光源が配置される構造のため、光源設置数に限界がある。従って液晶表示装置が大型になるにつれ、ディスプレイ全体を明るくすることは難しくなり、輝度を向上させる光学レンズシートの役割が重要となる。
【０００５】
液晶表示画面の輝度を向上させる手段として、米国３Ｍ社の登録商標である輝度向上フィルム（Ｂｒｉｇｈｔｎｅｓｓ・Ｅｎｈａｎｃｅｍｅｎｔ・Ｆｉｌｍ：ＢＥＦ）が光学レンズシートとして広く使用されている。
【０００６】
図１２、図１３は下記特許文献１、２に記載された輝度向上光学レンズシートを示すものである。図１２は、概略で面光源２１と、面光源２１から出射した光を入射させる輝度向上光学レンズシートとしてのＢＥＦ２３と、液晶パネル２２とが配設されている。図１３に示すように、ＢＥＦ２３は、透明基材２４上に断面三角形状の単位プリズム２５が一方向に周期的に配列されてなる光学レンズシートである。この単位プリズム２５は光の波長に比較して大きいサイズ（ピッチ）に構成されている。
【０００７】
ＢＥＦ２３は、“軸外（ｏｆｆ-ａｘｉｓ）”からの光を集光し、この光を観察者に向けて“軸上（ｏｎ-ａｘｉｓ）”に方向転換（ｒｅｄｉｒｅｃｔ）または“リサイクル（ｒｅｃｙｃｌｅ）”させることができる。すなわちＢＥＦ２３は、液晶表示装置の使用時（観察時）に、軸外輝度を低下させることによって軸上輝度を増大させることができる。ここで言う「軸上」とは、図１２、図１３において観察者の視覚方向Ｆに一致する方向であり、一般的には液晶パネル２２の表示画面に対する法線方向側である。
【０００８】
また、図１４に示すように、ＢＥＦ２３に代表される光学レンズシート２７を用いる際
に、透明基材上に拡散フィラーが塗布された拡散シート２６を導光板１６と光学レンズシート２７との間に配置することによって、導光板１６から出射される光の輝度ムラを抑えることができる。
【０００９】
さらにまた、光学レンズシート２７と液晶パネル２２との間に拡散シート２６を配置した場合には、プリズムシートに起因する射出光のサイドローブを低減させることができるとともに、規則的に配列されたレンズと液晶画素との間に生じるモアレ干渉縞を防ぐことができる。
【００１０】
ところで、エッジライト方式において使用される導光板１６は、上述したとおり、射出面と対向する位置に光偏向面１８を備え、光偏向面１８には白色のドットパターンやマイクロレンズ（凹型、凸型）、その他レンズ形状の光偏向要素２０が形成される。
【００１１】
しかしながら、どのような光偏向要素２０であっても、規則的に、または規則性を有する擬似不規則的に配列された反射層や構造物で形成されるため、上述のＢＥＦ２３に代表される光学レンズシート２７との干渉（モアレ干渉縞）の問題や、光偏向面１８のムラが視認されるといった問題があり、その解決手段としては、導光板１６と光学レンズシート２７との間に、特許文献４に示されるような拡散シート２６を使用する方法が一般的である。
【００１２】
また、ＢＥＦ２３は正面方向の輝度を向上させる最も効率的な光学レンズシートの１つではあるが、２０インチを超える中型ないし大型の液晶表示装置においては、ＢＥＦ２３の集光作用だけでは表示が暗くなってしまう。正面輝度を更に向上させる方法の一つとして例えばＢＥＦ２３を２枚クロスに配置する方法が挙げられるが、液晶表示装置の視野角が極端に狭くなるという問題が生じる。ノートパソコンや携帯情報端末等に比べて、テレビ用途としての液晶表示装置においては、十分な視野角が必要であり、特に水平方向に十分な視野角が必要となる。
【００１３】
従って、光偏向面１８に形成される光偏向要素２０を隠蔽するために、集光作用をほとんど有さない拡散シート２６を配置しなければならず、また液晶表示装置に必要な正面輝度を得るためには、ＢＥＦ２３を１枚使用するだけでは足りないという問題がある。
【００１４】
エッジライト方式の照明装置の正面輝度向上の手法として特許文献５には、断面形状が三角プリズム形状である光学レンズシートと、断面形状が楕円形状である光学レンズシートとを、略直交して配置する手段が開示されている。
【００１５】
しかしながら、導光板１６に形成される光偏向要素２０を隠蔽するために、導光板１６と楕円光学レンズシートとの間に拡散シート２６を配置する必要があり、また、輝度向上効果が最も得られる三角プリズム光学レンズシートとしては、例えば上述したＢＥＦ２３が、正面輝度の向上効果が得られるものの、サイドローブ光が発生してしまうため、三角プリズム光学レンズシートと液晶表示素子との間には拡散シート２６を配置する必要がある。
【００１６】
従って、特許文献５で示される構成では、拡散シートを２枚、楕円光学レンズシート、及び三角プリズム光学レンズシートと、４枚もの光学フィルムが必要となり、コストがかさんでしまう。
【００１７】
また、光学レンズシートを量産する手法としては、代表例として挙げられる、押出成形法やＵＶ成形法があげられるが、いずれも成形時における光学レンズシート用金型の耐擦傷性が重要な要素であり、該光学レンズシート用金型は耐擦傷性に優れていないと、該光
学レンズシート用金型自体がキズ等により欠陥が生じ、大幅な生産コストがかかる。
【００１８】
更に、光学レンズシートに求められる高輝度を得易い形状とは、プリズム形状＞シリンドリカル形状ではあるが、所望の光学特性を有するには、バックライトユニットの構成によってはシリンドリカル形状が望ましい事もあることから、シリンドリカル形状の高輝度化の需要が高まっている。
【先行技術文献】
【特許文献】
【００１９】
【特許文献１】特公平１−３７８０１号公報
【特許文献２】特開平６−１０２５０６号公報
【特許文献３】特表平１０−５０６５００号公報
【特許文献４】特開２００４−２９５０８０号公報
【特許文献５】特開平８−１４６２２５号公報
【発明の概要】
【発明が解決しようとする課題】
【００２０】
一方、光源としての冷陰極管やＬＥＤが視認されないようにするために、複数のフィルムを重なり合せる事で、光源、画素等のみならずフィルム同士でもモアレ（干渉縞）を生じ易く、これを低減するためには拡散シート等が必要となる。このため、使用部材が増加しコストアップにつながるという問題を有している。
また、単位形状がプリズム形状の場合は、輝度向上には有効だが耐擦傷性に劣る。一方、シリンドリカル形状の場合は、耐擦傷性には優れているが輝度向上が困難である。
【課題を解決するための手段】
【００２１】
上記の課題を解決するための手段として、請求項１の発明は、ディスプレイの光源からの照明光路制御用光学レンズシートの製造用金型であって、前記金型の表面は、凹凸の単位形状Ａの繰り返しパターンと、前記単位形状Ａの表面全域を、その表面に沿って、前記単位形状Ａの幅よりも細かい微細凹凸部の単位形状Ｂの繰り返しパターンが覆うように形成されてなるものであることを特徴とする照明光路制御用光学レンズシートの製造用金型である。
【００２２】
請求項２の発明は、前記微細凹凸部の単位形状Ｂの幅が、０．２μｍ以上、５μｍ以下の微細凹凸部であることを特徴とする請求項１の発明に記載の照明光路制御用光学レンズシートの製造用金型である。
【００２３】
請求項３の発明は、前記微細凹凸部の単位形状Ｂの凸部の頂点同士の最大差、または単位形状Ｂの凹部の下端同士の最大差が、０．２μｍ以上、２μｍ以下であることを特徴とする請求項１または２に記載の照明光路制御用光学レンズシートの製造用金型である。
【００２４】
請求項４の発明は、請求項１から３のいずれかに記載の照明光路制御用光学レンズシートの製造用金型を用いて照明光路制御用光学レンズシートを製造することを特徴とする照明光路制御用光学レンズシートの製造方法である。
【００２５】
請求項５の発明は、請求項１から３のいずれかに記載の照明光路制御用光学レンズシートの製造用金型を用いて製造したことを特徴とする照明光路制御用光学レンズシートである。
【００２６】
請求項６の発明は、請求項４または請求項５に記載の照明光路制御用光学レンズシートを搭載した液晶表示装置である。
【００２７】
請求項７の発明は、請求項６に記載の液晶表示装置を備えたディスプレイである。
【発明の効果】
【００２８】
本発明に記載の発明によれば、光学レンズシート用金型の表面上に単位形状の幅よりも細かい微細凹凸部を表面に有する事で、パネルの画素と光学レンズシートが干渉することにより発生するモアレ（干渉縞）が生じ難くなり、拡散シート等が不要となるため、使用部材が減少しコスト削減になる。
【００２９】
また、単位形状がプリズム形状の場合、耐擦傷性が向上し、前記単位レンズがシリンドリカル形状の場合、輝度向上が出来る。
【００３０】
更には、本発明の光学レンズシート用金型は金型加工機（レンズ形状形成機）のみで形成する事が可能となり、コスト削減になる。
【図面の簡単な説明】
【００３１】
【図１】光学レンズシート用金型を示す斜視図である。
【図２】単位形状がプリズム形状をなす一次元配置の光学レンズシートの斜視図である。
【図３】単位形状がシリンドリカル形状をなす一次元配置の光学レンズシートの斜視図である。
【図４】単位形状がプリズム形状をなす二次元配置の光学レンズシートの斜視図である。
【図５】単位形状がシリンドリカル形状をなす二次元配置の光学レンズシートの斜視図である。
【図６】単位形状がプリズム形状、シリンドリカル形状からなる二次元配置の光学レンズシートの断面図である。
【図７】単位形状がプリズム形状をなす、単位形状の断面図である。
【図８】単位形状がシリンドリカル形状をなす、単位形状の断面図である。
【図９】単位形状の形状接線を直線化した断面図である。
【図１０】単位形状の形状接線を直線化した断面図である。
【図１１】押出方の説明図である。
【図１２】従来技術によるＢＥＦを含む液晶表示装置の配置構成を示す要部断面図である。
【図１３】図１２に示すＢＥＦの斜視図である。
【図１４】拡散シートとＢＥＦの組み合わせからなる従来の液晶表示装置である。
【図１５】円周方向への光学レンズシート形成方法を示した図である。
【図１６】軸方向への光学レンズシート形成方法を示した図である。
【発明を実施するための形態】
【００３２】
先ず、単位形状の断面形状について説明する。
【００３３】
本発明でいう単位形状Ａ（１）とは、図７又は８に示すように、プリズム形状（２）又はシリンドリカル形状（４）の総称である。
【００３４】
光学レンズシート図２〜６は単位形状Ａ（１）を配置したことからなる前記光学レンズシート（１５）であり、プリズム形状（２）又はシリンドリカル形状（４）から構成されている。
【００３５】
前記単位形状Ａ（１）がプリズム形状（２）をなす場合、耐擦傷性を向上するために、所望のシリンドリカル形状（４）の切削工具にて微細凹凸部の単位形状Ｂ（３）を形成し、前記微細凹凸部の単位形状Ｂ（３）が前記単位形状（２）の形状接線（１４）に沿うように配置する。
【００３６】
特に、図７に示すように、前記微細凹凸部の形状が、頂点部分が丸みを帯びていると、単位形状Ｂ（３）の頂点がとがらないので耐擦傷性は向上する。尚、このような丸みを帯びた微細凹凸部を用いる場合、図６のプリズム形状の表面にのみ、微細凹凸部を付ける構成であっても、耐擦傷性はよい。
【００３７】
一方、前記単位形状Ａ（１）がシリンドリカル形状（４）をなす場合、輝度向上を図るために、所望のプリズム形状（２）の切削工具にて微細凹凸部の単位形状Ｂ（５）を形成し、前記微細凹凸部の単位形状Ｂ（５）が前記単位形状Ａ（４）の形状接線１４に沿うように配置する。
【００３８】
前記形状接線（１４）とは、前記単位形状Ａ１の形状接線を指し、図９又は１０は、前記単位形状Ａ（１）の前記形状接線（１４）を直線化した図であり、後述する幅（１２）又は深さ（１３）についての説明図である。
【００３９】
続いて、前記微細凹凸部の単位形状Ｂ（３）又は（５）の幅（１２）について説明する。
前記幅（１２）とは、一般的にピッチと呼ばれる部位を指す。前記微細凹凸部の単位形状Ｂ（３）又は（５）の幅（１２）が６μｍ以上では、モアレが生じ易くなる為、前記微細凹凸部の単位形状Ｂ（３）又は（５）の幅（１２）は、５μｍ以下が望ましい。
【００４０】
前記微細凹凸部の単位形状Ｂ（３）又は（５）の深さ（１３）について説明する。
前記微細凹凸部単位形状Ｂ（３）又は（５）の深さ（１３）は、前記単位形状Ａ（１）の前記形状接線（１４）より最大の深さ差が±１μｍ以上であると、スジ状の欠点として視認出来てしまうため、前記微細凹凸部単位形状Ｂ（３）又は（５）の深さ（１３）は、前記単位形状Ａ（１）の前記形状接線（１４）より、最大の深さ差が±１μｍ以内であることが望ましい。
【００４１】
光学レンズシート用金型について説明する。
図１に示すように、前記光学レンズシート用金型（６）は、略円筒形状をなし、その表面に光学的構造体を形成するための光学的構造体形成部７が形成されている。
【００４２】
前記光学レンズシート用金型（６）へのレンズ形成方法について説明する。
金型加工機（レンズ形状形成機）に、前記光学レンズシート用金型（６）を取り付けるとともに、切削工具（８）を取り付け、所望の条件で加工することで、前記光学レンズシート用金型（６）へ光学レンズシート（１５）となる凹版を形成する。
【００４３】
続いて、前記光学レンズシート用金型（６）から転写してなる、光学レンズシート（１５）の作製方法について説明するが、先ず、光学レンズシート（１５）の材料から説明する。
【００４４】
光学レンズシート（１５）を成形する材料としては、光源部から出射される光の波長に対して光透過性を有するものを使用する。例えば、光学用部材に使用可能なプラスチック材料を使用することができる。
【００４５】
この材料の例としては、ポリエステル樹脂、アクリル樹脂、ポリカーボネート樹脂、ポリスチレン樹脂、ＭＳ（アクリルとスチレンの共重合体）樹脂、ポリメチルペンテン樹脂、シクロオレフィンポリマー等の熱可塑性樹脂、あるいはポリエステルアクリレート、ウレタンアクリレート、エポキシアクリレート等のオリゴマー又はアクリレート系等からなる放射線硬化性樹脂などの透明樹脂が挙げられる。
【００４６】
また、光学レンズシート（１５）は、単層構造でも複層構造でもよく、透明層を含んでいてもよい。そして、光学レンズシート（１５）は、上述のような材料を金型に流し込み凝固されることで成型される。
【００４７】
また、光学レンズシート（１５）はＵＶ硬化法で製造してもよい。ＵＶ硬化法で作製する場合、シート状の基材である基部上にＵＶ硬化性の樹脂を塗布し、所望の形状の金型を押し当て、その後にＵＶ照射して基部と光学突部及び光学要素からなる光学レンズシート（１５）を得る。シート状の基材としては、当該分野でよく知られたＰＥＴ（ポリエチレンテレフタレート）、ポリカーボネート、アクリル、ポリプロピレンのフィルムなどが使用できる。
【００４８】
なお、光学レンズシート（１５）についての代表的な作製例を説明してきたが、本実施形態の光学特性を達成することができれば上記以外の材料や構造、プロセスなどを使用して作製することも可能である。
【実施例】
【００４９】
以下に、本発明の具体的実施例について説明する。
【００５０】
（実施例１）光学レンズシート用金型（６）の円周方向への加工の場合は、図１５に示すように、切削工具８を金型加工機（レンズ形状形成機）に取り付け、前記光学レンズシート用金型（６）を回転させながら加工する。一方、軸方向への加工の場合は、図１６に示すように、切削工具８を金型加工機（レンズ形状形成機）に取り付け、前記光学レンズシート用金型６は無回転のまま加工することで、図２又は４に示す一次元又は二次元からなるプリズム形状、図３又は５に示す一次元又は二次元からなるシリンドリカル形状、更には、図６に示すプリズム形状とシリンドリカル形状の（２）パターンで構成させる二次元の単位形状Ａ（１）からなる、前記光学レンズシート金型（６）を形成した。前記設定値として、それぞれ単位形状Ａ（２）又は（４）の幅が５０μｍとなるように、前記微細凹凸部の単位形状Ｂ（３）又は（５）の幅（１２）を０．２μｍにし、形状接線（１４）より最大の深さ差（１３）を０．２μｍとした。
【００５１】
（実施例２）単位形状Ａ（２）又は（４）の幅が５０μｍとなるように、前記微細凹凸部の単位形状Ｂ（３）又は（５）のの幅（１２）を２．５μｍにし、形状接線（１４）より最大の深さ差（１３）を０．２μｍとした以外は実施例１と同様に操作して前記光学レンズシート用金型（６）を形成した。
【００５２】
（実施例３）単位形状Ａ（２）又は（４）の幅が５０μｍとなるように、前記微細凹凸部の単位形状Ｂ（３）又は（５）の幅（１２）を５．０μｍにし、形状接線（１４）より最大の深さ差（１３）を０．２μｍとした以外は実施例１と同様に操作して前記光学レンズシート用金型（６）を形成した。
【００５３】
（実施例４）単位形状Ａ（２）又は（４）の幅が５０μｍとなるように、前記微細凹凸部の単位形状Ｂ（３）又は（５）の幅（１２）を５．０μｍにし、形状接線（１４）より最大の深さ差（１３）を０．２μｍとした以外は実施例１と同様に操作して前記光学レンズシート用金型（６）を形成した。
【００５４】
（実施例５）単位形状Ａ（２）又は（４）の幅が５０μｍとなるように、前記微細凹凸部の単位形状Ｂ（３）又は（５）の幅１２を２．５μｍにし、形状接線（１４）より最大の深さ差（１３）を１．０μｍとした以外は実施例１と同様に操作して前記光学レンズシ
ート用金型（６）を形成した
【００５５】
（実施例６）単位形状Ａ（２）又は（４）の幅が１００μｍとなるように、前記微細凹凸部の単位形状Ｂ（３）又は（５）の幅１２を２．５μｍにし、形状接線（１４）より最大の深さ差（１３）を１．０μｍとした以外は実施例１と同様に操作して前記光学レンズシート用金型（６）を形成した。
【００５６】
（実施例７）単位形状Ａ（２）又は（４）の幅が１００μｍとなるように、前記微細凹凸部の単位形状Ｂ（３）又は（５）の幅（１２）を５．０μｍにし、形状接線（１４）より最大の深さ差（１３）を１．０μｍとした以外は実施例１と同様に操作して前記光学レンズシート用金型６を形成した。
【００５７】
（実施例８）単位形状Ａ（２）又は（４）の幅が２００μｍとなるように、前記微細凹凸部の単位形状Ｂ（３）又は（５）の幅（１２）を２．５μｍにし、形状接線（１４）より最大の深さ差（１３）を１．０μｍとした以外は実施例１と同様に操作して前記光学レンズシート用金型（６）を形成した。
【００５８】
（実施例９）単位形状Ａ（２）又は（４）の幅が２００μｍとなるように、前記微細凹凸部の単位形状Ｂ（３）又は（５）の幅（１２）を５．０μｍにし、形状接線（１４）より最大の深さ差（１３）を２．０μｍとした以外は実施例１と同様に操作して前記光学レンズシート用金型（６）を形成した。
【００５９】
（比較例１）単位形状Ａ（２）又は（４）の幅が５０μｍとなるように、前記微細凹凸部の単位形状Ｂ（３）又は（５）の幅（１２）を６．０μｍにし、形状接線（１４）より最大の深さ差（１３）を０．２μｍとした以外は実施例１と同様に操作して前記光学レンズシート用金型６を形成した。
【００６０】
（比較例２）比較例２として、単位形状Ａ（２）又は（４）の幅が５０μｍとなるように、前記微細凹凸部の単位形状Ｂ（３）又は（５）の幅（１２）を２．５μｍにし、形状接線（１４）より最大の深さ差（１３）を４．０μｍとした以外は実施例１と同様に操作して前記光学レンズシート用金型（６）を形成した。
【００６１】
（比較例３）比較例３として、単位形状Ａ（２）又は（４）の幅が５０μｍとなるように、前記微細凹凸部の単位形状Ｂ（３）又は（５）の幅（１２）を６．０μｍにし、形状接線（１４）より最大の深さ差（１３）を４．０μｍとした以外は実施例１と同様に操作して前記光学レンズシート用金型（６）を形成した。
【００６２】
次に、光学レンズシート（１５）の作製方法について説明する。今回の実験では押出法により作製した。図１１に押出機の概略図を示す。形成した光学レンズシート用金型（６）を押出機（９）に近接して形成ロール（１０）として配置した。熱可塑性ポリカーボネート樹脂を溶融し、押出機（９）によって成型し、当該熱可塑性ポリカーボネート光学レンズシート（１５）が冷却されて硬化する前に形成ロール（１１）によってそれぞれ成型し、所望の形状を有する光学レンズシート（１５）をそれぞれ得た。光学レンズシート（１５）の厚みはすべて３２０μｍとした。
【００６３】
光学レンズシート（１５）はすべて熱可塑性ポリカーボネート樹脂による押出方式により作製している。本発明で使用した熱可塑性ポリカーボネート樹脂の弾性率Ｅは２４００ＭＰａ、比重は１．２ｇ／ｃｍ３である。この光学レンズシート（１５）は光学レンズシート用金型（６）からの転写率が非常に良好であり、賦形率は９９％以上である。
【００６４】
続いて、得られた光学レンズシート（１５）の各評価方法について説明する。
【００６５】
（耐擦傷性評価）耐擦傷性を確認するために、学振型磨耗堅牢度試験機にて耐擦傷性を評価した。得られた前記微細凹凸部の単位形状Ｂ（３）又は（５）からなる光学レンズシート（１５）を前記学振型磨耗堅牢度試験機ステージに取り付け、一次元又は二次元に該光学レンズシート（１５）の凸部へスチールウール（ボンスター）に荷重をかけて擦り当て、比較検証実験を行った。前記学振型磨耗堅牢度試験による評価方法は、従来の光学レンズシートよりも該光学レンズシート（１５）の方が耐擦傷性に優れていれば（○）とし、劣っていれば（×）とした。評価結果を表１に示す。
【００６６】
（輝度測定評価）得られた前記微細凹凸部４形状からなる光学レンズシート（１５）をＬＥＤエッジライト方式の液晶テレビに搭載し、輝度測定機により評価した。液晶テレビはソニー製４０インチ液晶テレビを使用した。導光板は実際に搭載されていたものをそのまま使用している。その導光板の上に本発明の実施形態に係る光学レンズシート、住友３Ｍ製プリズムシートＢＥＦIII、住友３Ｍ製再帰反射シートＤＢＥＦを順に設置した。前記輝度測定による評価方法は、従来の光学レンズシートよりも該光学レンズシート（１５）の方が輝度値が高輝度であれば（○）とし、低輝度ならば（×）とした。評価結果を表１に示す。
【００６７】
（モアレ外観目視検査）得られた前記微細凹凸部の単位形状Ｂ（３）又は（５）からなる光学レンズシート（１５）をＬＥＤエッジライト方式の液晶テレビに搭載し、モアレの有無を外観目視検査にて評価した。評価方法は、モアレの有無であるため、視認出来なければ（○）、視認出来たならば（×）とした。評価結果を表１に示す。
【００６８】
尚、表１に示す総合評価（○）評価は、従来の光学レンズシートよりも、本発明からなる該光学レンズシート（１５）の方が耐擦傷性に優れ、且つ、高輝度が得られた事を表し、更には、モアレが視認出来ない状態を示す。即ち、本発明の効果が得られた範囲を示している。
【００６９】
【表１】
0005741121.tif 000002
【００７０】
耐擦傷性評価、輝度評価、モアレ外観目視評価、の結果一覧表である。従って、表１に示す評価結果が（○）の条件が本発明の有効値である事から、請求項記載値を決定するに至った。
【００７１】
尚、実施例では、微細凹凸部単位形状Ｂ（３）又は（５）３の幅（１２）又は深さ（１３）を一定間隔で形成しているが、本発明は一定配置である必要はない。具体的には不等配置やランダム等が挙げられる。
【符号の説明】
【００７２】
１  単位形状Ａ
２  プリズム形状
３  微細凹凸部
４  シリンドリカル形状
５  微細凹凸部の単位形状Ｂ
６  光学レンズシート用金型
７  光学的構造体形成部
８  切削工具
９  押出機
１０  形成ロール
１１  形成ロール
１２  幅
１３  深さ
１４  形状接線
１５  光学レンズシート
１６  導光板
１７  射出面
１８  光偏向面
１９  光源
２０  光偏向要素
２１  光源
２２  液晶パネル
２３  ＢＥＦ
２４  基材
２５  プリズム
２６  拡散シート
２７  光学レンズシート
【図３】
0005741121.tif 000003
【図４】
0005741121.tif 000004
【図７】
0005741121.tif 000005
【図８】
0005741121.tif 000006
【図９】
0005741121.tif 000007
【図１０】
0005741121.tif 000008
【図１１】
0005741121.tif 000009
【図１２】
0005741121.tif 000010
【図１３】
0005741121.tif 000011
【図１】
0005741121.tif 000012
【図２】
0005741121.tif 000013
【図５】
0005741121.tif 000014
【図６】
0005741121.tif 000015
【図１４】
0005741121.tif 000016
【図１５】
0005741121.tif 000017
【図１６】
0005741121.tif 000018